(57)【要約】【課題】  陰圧缶となる缶体に取り付けられたタブの指掛かり性を向上させることを目的する缶蓋を提供する。【解決手段】  スコア線５によって区画された開口片６を有するパネル部２と、パネル部２における開口片６の外側に設けられたリベット部３によってパネル部２に取り付けられたタブ４とを備え、いわゆるステイオンタブ式に構成された缶蓋１において、缶体の内圧が陰圧状態では、パネル部２は中央が周辺よりも缶体内方へ凹むように形成され、かつ指掛け部８が持ち上げられると、押し下げ部７によりスコア線５が破断される前に、パネル部２のうちリベット部３の近傍部分は反転して缶体外方に変位するように構成されている。【選択図】図１
2015085962.tif 000002
【特許請求の範囲】
【請求項１】
パネル部の上面中央部に突出して形成されたリベット部と、
前記パネル部にスコア線によって区画されて形成された開口片と、
前記開口片と上下方向で対向するよう配置された押し下げ部を一端部に有し前記リベット部に取り付けられたタブと、
前記タブの前記押し下げ部側とは反対側の他端部に設けられた指掛け部とを備え、
前記指掛け部が上方に持ち上げられることにより、前記押し下げ部が前記開口片に当接し、かつ当該開口片を下方に押圧して、前記スコア線を破断させ前記開口片を開口させるように構成された缶蓋において、
前記パネル部は、前記缶体の内圧が陰圧状態では、当該パネル部の中央部を含む前記リベット部の近傍部分がその外側周辺よりも缶体内方へ凹むように構成され、
前記指掛け部が上方に持ち上げられることにより、前記押し下げ部により前記スコア線が破断され始める前に、前記リベット部の近傍部分が上方に持ち上げられ反転変形するように構成されていることを特徴とする缶蓋。
【請求項２】
前記反転変形する前後で前記缶体の内圧を陰圧状態に維持させているとともに、当該反転変形することにより音を発するように構成されていることを特徴とする請求項１に記載の缶蓋。
【請求項３】
円形状に形成された前記パネル部の外周縁に沿って設けられ、かつ底部が当該外周縁よりも下方に窪むように形成された環状溝部をさらに備え、
前記環状溝部の内周壁は、前記底部から前記外周縁に向けて、内周側かつ上方に延びる傾斜面により形成されていることを特徴とする請求項１または２に記載の缶蓋。
【請求項４】
前記パネル部は、前記タブの指掛け部と上下方向で対向するように配置され、かつ前記リベット部よりも下方に凹む形状に形成された指入れ用凹部をさらに備え、
前記パネル部の外周縁は、環状に形成され、その一部が前記指入れ用凹部の外周縁により形成され、
前記パネル部の外周縁を形成する前記指入れ用凹部の外周縁は、前記パネル部の外周縁の他部分よりも下方に配置されるように構成されていることを特徴とする請求項１から３のいずれかに記載の缶蓋。
【請求項５】
前記パネル部は、前記タブの指掛け部と上下方向で対向するように配置され、かつ前記リベット部よりも下方に凹む形状に形成された指入れ用凹部をさらに備え、
前記指入れ用凹部の外周縁は、径方向で前記傾斜面により形成された前記内周壁を介さずに前記環状溝部の底部と接続されるように構成されていることを特徴とする請求項３に記載の缶蓋。
【発明の詳細な説明】
【技術分野】
【０００１】
この発明は、缶容器の開口部を形成する缶蓋に関し、特にステインタブ式の缶蓋に関する。
【背景技術】
【０００２】
従来、清涼飲料、炭酸飲料、野菜ジュース、アルコールなどの飲料や、固形食品などが内容物として収容される缶容器は、筒状に形成された缶胴と、その缶胴に形成された開口端を封止するための円形状に形成された缶蓋とにより構成されている。例えば、一方が開口端を形成する有底筒状に形成された缶胴に対して、その開口端を閉塞するようにして缶蓋を取り付けた缶体、いわゆるツーピースタイプの缶容器が知られている。また、両端部が開口した筒状に形成された缶胴に対して、一方の開口端に第１の缶蓋を取り付けるとともに他方の開口端に第２の缶蓋を取り付けた缶体、いわゆるスリーピースタイプの缶容器が知られている。また、このような缶容器は金属製であり、その缶蓋は、アルミニウム製やアルミニウム合金製、もしくはスチール製などの金属板を素材としてプレス加工により形成されることが知られている。この場合、その缶容器は、収容させる内容物の種類に応じて、密封された缶容器の内圧が大気圧よりも低い陰圧缶や、その缶体内圧が大気圧より高い陽圧缶に構成されている。
【０００３】
また、そのような缶容器を構成する缶蓋は、密閉状態の缶容器を開口させる方式として周知であるイージーオープンエンドにより構成されることがある。例えば、飲料用の缶容器では、缶蓋にスコアが形成されているとともに、リベットにより缶蓋に取り付けられたタブを操作することによって、そのスコアが破断して缶蓋の一部を開口片とするようにして缶容器を開口させるいわゆるステイオンタブ式により構成することができる。
【０００４】
その一例として、特許文献１には、リベットによってパネル部に取り付けられた開口操作用のタブを備え、そのタブの一方の端部側にパネル部から離れる方向への外力が作用することにより、タブの他方の端部がスコア線により区画された缶蓋の開口片に当接して梃子作用が生じ缶容器を開口させる構成が開示されている。
【先行技術文献】
【特許文献】
【０００５】
【特許文献１】特開２０００−２１１６４２号公報
【発明の概要】
【発明が解決しようとする課題】
【０００６】
しかしながら、特許文献１に記載された構成では、ステイオンタブ式により構成されているものの、缶容器の内圧が陰圧状態では、缶蓋が缶容器内方に向けて変位することにより、タブの指掛かり性が悪化する可能性がある。
【０００７】
この発明は、上記の技術的課題に着目してなされたものであって、缶容器の内圧が陰圧状態においてタブの指掛かり性を向上させる缶蓋を提供することを目的とするものである。
【課題を解決するための手段】
【０００８】
上記の課題を解決するために、請求項１に係る発明は、パネル部の上面中央部に突出して形成されたリベット部と、前記パネル部にスコア線によって区画されて形成された開口片と、前記開口片と上下方向で対向するよう配置された押し下げ部を一端部に有し前記リベット部に取り付けられたタブと、前記タブの前記押し下げ部側とは反対側の他端部に設けられた指掛け部とを備え、前記指掛け部が上方に持ち上げられることにより、前記押し下げ部が前記開口片に当接し、かつ当該開口片を下方に押圧して、前記スコア線を破断させ前記開口片を開口させるように構成された缶蓋において、前記パネル部は、前記缶体の内圧が陰圧状態では、当該パネル部の中央部を含む前記リベット部の近傍部分がその外側周辺よりも缶体内方へ凹むように構成され、前記指掛け部が上方に持ち上げられることにより、前記押し下げ部により前記スコア線が破断され始める前に、前記リベット部の近傍部分が上方に持ち上げられ反転変形するように構成されていることを特徴とするものである。
【０００９】
請求項２に係る発明は、請求項１の発明において、前記反転変形する前後で前記缶体の内圧を陰圧状態に維持させているとともに、当該反転変形することにより音を発するように構成されていることを特徴とする缶蓋である。
【００１０】
請求項３に係る発明は、請求項１または２の発明において、円形状に形成された前記パネル部の外周縁に沿って設けられ、かつ底部が当該外周縁よりも下方に窪むように形成された環状溝部をさらに備え、前記環状溝部の内周壁は、前記底部から前記外周縁に向けて、内周側かつ上方に延びる傾斜面により形成されていることを特徴とする缶蓋である。
【００１１】
請求項４に係る発明は、請求項１から３のいずれかの発明において、前記パネル部は、前記タブの指掛け部と上下方向で対向するように配置され、かつ前記リベット部よりも下方に凹む形状に形成された指入れ用凹部をさらに備え、前記パネル部の外周縁は、環状に形成され、その一部が前記指入れ用凹部の外周縁により形成され、前記パネル部の外周縁を形成する前記指入れ用凹部の外周縁は、前記パネル部の外周縁の他部分よりも下方に配置されるように構成されていることを特徴とする缶蓋である。
【００１２】
請求項５に係る発明は、請求項３の発明において、前記パネル部は、前記タブの指掛け部と上下方向で対向するように配置され、かつ前記リベット部よりも下方に凹む形状に形成された指入れ用凹部をさらに備え、前記指入れ用凹部の外周縁は、径方向で前記傾斜面により形成された前記内周壁を介さずに前記環状溝部の底部と接続されるように構成されていることを特徴とする缶蓋である。
【発明の効果】
【００１３】
請求項１の発明によれば、缶体内圧が陰圧状態で、タブがパネル部に密接している状態であっても、タブを持ち上げる際に、スコア線が破断し始める前にパネル部のリベット部近傍部分が反転して上方に変位することで、タブを比較的小さい力で持ち上げることができるため、タブへの指掛かり性を向上させることができる。
【００１４】
請求項２の発明によれば、タブの持ち上げ初期段階に音が発生することにより、缶体内圧が陰圧状態であることを認識することができ、内容物の安全性を音の有無により確認することができる。当然に、缶体が陰圧状態であるとともに未開封状態であることも確認することができる。
【００１５】
請求項３の発明によれば、パネル部の周辺部と接続される環状溝部の内周壁が、傾斜面に形成されていることにより、その内周壁が軸線方向と平行な垂直に形成されている場合に比べて、パネル部の強度が低下して、指掛け部が上方に持ち上げられた際にパネル部を撓み易くさせることができ、パネル部におけるリベット近傍部分における反転変形を確実に発生させることができる。すなわち、その反転変形による音を確実に生じさせることができる。
【００１６】
請求項４の発明によれば、タブの指掛け部と対向するパネル部において、そのパネル部の他の部分よりも缶体内方に凹んだ形状に形成された指入れ用凹部が設けられ、かつ指入れ用凹部の外周部と環状溝部とが環状溝部の内周壁を介さずに接続されていることにより、補強のための環状溝部の内周への一部分が切り欠かれているため、パネル部における指入れ用凹部の近傍部分の強度が低下されており、タブの指掛け部が持ち上げられた際に、パネル部におけるリベット部の近傍部分の反転変形を引き起こし易くすることができる。
【００１７】
請求項５の発明によれば、タブの指掛け部と対向するパネル部において、そのパネル部の他の部分よりも缶体内方に凹んだ形状に形成された指入れ用凹部が設けられ、かつ指入れ用凹部の外周部と環状溝部とが環状溝部の内周壁を介さずに接続されていることにより、補強のための環状溝部の内周への一部分が切り欠かれているため、パネル部における指入れ用凹部の近傍部分の強度が低下されており、タブの指掛け部が持ち上げられた際に、パネル部におけるリベット部の近傍部分の反転変形を引き起こし易くすることができる。
【図面の簡単な説明】
【００１８】
【図１】この発明の一例における缶蓋と缶胴とが巻き締め固着された缶体において、缶体内圧が大気圧よりも低い陰圧状態となる場合の缶体の縦断面形状の一部を模式的に示した縦断面図である。
【図２】この具体例の缶蓋の上面図を模式的に示した説明図である。
【図３】缶蓋と缶胴とが巻き締め固着された缶体において、缶体内圧が大気圧に等しい大気圧状態となる場合の缶体の縦断面形状の一部を模式的に示した縦断面図である。
【図４】図２に示す缶蓋のうちタブを削除した上面図を模式的に示した説明図である。
【発明を実施するための形態】
【００１９】
以下、図面を参照して、この発明に係る缶蓋の実施例について具体的に説明する。図２は、この具体例における缶蓋の上面図を模式的に示している。図２に示すように、この具体例の缶蓋１では、アルミニウム合金等の金属製薄板をプレス成形することにより形成されるステイオンタブ式の缶蓋であって、中央に円形状のパネル部２が設けられ、パネル部２の外周縁に沿って環状溝部１４が設けられているとともに、その環状溝部１４の外周側に缶胴固着用のカール部１５が設けられている。その缶蓋１を缶胴に固着させて構成された缶容器（缶体）の縦断面図を図３に示してあり、図３に示すように、カール部１５と円筒状に形成された缶胴２１の開口端部とが巻き締め固着された巻き締め部２０によって、缶蓋１は缶胴２１の開口端を閉塞するように接合されて密封状態の缶体２２を形成するように構成されている。すなわち、缶蓋１は、缶体２２における天蓋を構成するものである。この場合、環状溝部１４は、パネル部２の外周縁よりも下方に窪んで形成され、かつ環状溝部１４の底部１４ａから上方かつ外周側に向けて延びる外周壁１４ｃがカール部１５に接続されている。なお、この説明では、缶蓋１が上側となるように缶体２２を直立させた場合について説明し、例えば図３の上下方向において、上方向を上方もしくは缶体外方、下方向を下方もしくは缶体内方と記載し、径方向において、径方向と平行な方向を水平方向、内周側を径方向内方、外周側の径方向外方と記載して説明する場合がある。
【００２０】
具体的には、パネル部２の上面中央部に上方に突出するタブ固着用のリベット３が設けられ、このリベット３に開口操作用のタブ４が固着されている。すなわち、タブ４はリベット３によってパネル部２に取り付けられている。さらにパネル部２には、破断容易なスコア線５が所定の範囲を区画するように設けられている。図４に示すように、スコア線５は、両端部５Ｓ，５Ｅが離隔して配置されており、リベット３の近傍に配置された一方の端部５Ｓからパネル部２の外周縁の近傍に向けて湾曲し延び、その端部５Ｓの近くに配置された他方の端部５Ｅに到るように形成されている。また、スコア線５のうちリベット部３の近傍部分に設けられた初期スコア線５ａからパネル部２の外周縁側に設けられた後期スコア線５ｂに向けて破断が進行するように構成されている。このスコア線５により区画された部分が開口片６を形成し、この開口片６は、タブ４が開封者により開封操作されてスコア線５が破断されたことにより容易にパネル部２から破断されるように構成されている。したがって、開口片６は開封操作されたタブ４の一端部と当接するように配置されており、パネル部２のうち、そのタブ４の一端部である押し下げ部７と対向する部分に配置されている。
【００２１】
また、タブ４は、押し下げ部７に加え、リベット部３に固着される板状の固着部４ｃと、そのリベット部３に対して押し下げ部７とは反対側に設けられた他端部である指掛け部８とを備え、タブ４の外周縁が押し下げ部７の外周縁７ａおよび指掛け部８の外周縁８ｃを含む環状に形成されている。このタブ４では、指掛け部８が押し下げ部７よりも上方に配置されるように形成され、詳細には図３に示すように、指掛け部８の上面８ｂがタブ４における他部分の上面４ｂに比べて上方に配置され、かつ指掛け部８の下面８ａがその他部分の下面４ａよりも上方に配置されるように形成されている。なお、図３に示すような缶体２２の内圧が大気圧と等しくなる状態（大気圧状態）では、タブ４の上面４ｂは、リベット部３に対して指掛け部８側が、押し下げ部７側よりも上方に配置されるように水平方向から傾斜するように形成されている。また、タブ４では、固着部４ｃが相対的に押し下げ部７側に設けられており、タブ４の上面４ｂに上方に突出する凸部４１が直線状に二本形成され、その凸部４１はタブ４の外周縁が直線状となる部分に沿うように互い平行に配置されている。さらに、タブ４の下面４ａは、パネル部２の平坦状上面から上方に突出する突起１２と当接するように構成され、この場合、突起１２は二つ設けられ、それぞれ凸部４１の下方に配置されている。
【００２２】
また、図２に示すように、開口片６のうちタブ４の押し下げ部７と当接する部分には、押し下げ部７の形状に対応するような半月状に形成された凹部（半月状凹部）９が設けられている。半月状凹部９は、押し下げ部７の外周縁７ａに沿う円弧状の円弧部９ａとその円弧部９ａの弦状に形成された弦部９ｂとにより区画された平坦状の底部９ｃを備え、この底部９ｃが、パネル部２のうちスコア線５の形成されている部分よりも下方に配置されるように形成されている。また、円弧部９ａが押し下げ部７の外周縁７ａよりも外周側に配置され、弦部９ｂがタブ４と対向する部分に配置されているとともに、底部９ｃから水平方向から傾斜して上方へ延在する接続面９ｄが設けられている。すなわち、接続面９ｄは、底部９ｃを囲むように形成され、弦部９ｂ側ではリベット部３側の初期スコア線５ａが形成された開口片内周部６ｂに接続され、円弧部９ａ側では開口片中央部６ａに接続されるように形成されている。開口片中央部６ａは、パネル部２のうちスコア線５の形成されている部分よりも上方に隆起した台状に形成され、その上面が平坦に形成されている。その開口片中央部６ａを囲むように円弧状の凹ビード１０が配置され、凹ビード１０は、パネル部２のうちスコア線５の形成されている部分よりも下方に凹むように形成され、かつ半月状凹部９の接続面９ｄに繋がるように形成されている。すなわち、開口片中央部６ａは、半月状凹部９および凹ビード１０に囲まれて形成されている。
【００２３】
さらに、タブ４と対向する部分を形成するパネル部２のうち、リベット部３に対して開口片６とは反対側の部分には、タブ４の指掛け部８と対向するように配置された指入れ用凹部１３が設けられている。指入れ用凹部１３は、パネル部２の外周縁の一部を形成し、パネル部２のリベット部３よりも下方に凹むように形成されている。具体的には、指入れ用凹部１３は、リベット部３よりも下方に配置された底面１３ａを有し、この底面１３ａは、タブ４の指掛け部８と対向するように配置され、かつ直線状の内周側辺１３ｂから外周側に広がり円弧状の外周側辺１３ｃに到る形状に形成されている。その底面１３ａの周りには上方に延びるように形成された接続面が設けており、内周側辺１３ｂからリベット部３側に向けて内周側かつ上方に延びるように接続面（傾斜面）１３ｄが設けられている。すなわち、指入れ用凹部１３の縦断面形状は、内周側辺１３ｂにおいて底面１３ａと傾斜面１３ｄとが屈曲するように構成されている。また、底面１３ａの外周側辺１３ｃは、その外周側辺１３ｃから外周側かつ上方に形成された接続面を介して環状溝部１４の底部１４ａに接続されている。この場合、図３に示すように、底面１３ａは、指入れ用凹部１３により形成されたパネル部２の外周縁２ｂを介して環状溝部１４に接続されている。したがって、缶蓋１は、タブ４の指掛け部８と指入れ用凹部１３の底面１３ａとが対向している、上下方向で指掛け部８とパネル部２との間に比較的大きな間隔を形成させることができる。なお、図３に示す缶体２２は、缶体内圧が大気圧と等しい状態であり、指入れ用凹部１３の底面１３ａが水平面を形成している。
【００２４】
また、パネル部２には、スコア線５およびタブ４と対向する部分を囲むように形成された補強ビード１１が設けられ、この補強ビード１１は、両端部が離隔し一方の端部から他方の端部に向けて湾曲状に形成され、かつ上方に突出するように形成されている。例えば、図３に示すように、補強ビード１１の頂部１１ａは、環状溝部１４側の後期スコア線５ｂが設けられた開口片６よりも上方に配置され、その頂部１１ａと環状溝部１４とが繋がるように形成されている。すなわち、この補強ビード１１がパネル部２の外周縁２ａの一部を形成している。
【００２５】
その環状溝部１４は、環状に形成された底部１４ａと、その底部１４ａから内周側かつ上方に延びるように形成された内周壁１４ｂと、その底部１４ａから外周側かつ上方に延びるように形成された外周壁１４ｃとを備えている。この具体例では、底部１４ａおよび外周壁１４ｃが環状に設けられているの対して、内周壁１４ｂはその一部が切り欠かれた非環状に形成されている。この内周壁１４ｂの一部を切り欠く部分が、前述した指入れ用凹部１３によって構成された部分である。つまり、環状溝部１４は、パネル部２の外周縁に接続されているものの、底部１４ａが径方向で内周壁１４ｂを介してパネル部２の外周縁に接続されている部分と、底部１４ａが径方向で内周壁１４ｂを介さずにパネル部２の外周縁に接続されている部分とを含むように構成されている。具体的には、図３に示すように、補強ビード１１により形成された部分を含むパネル部２の外周縁２ａは、内周壁１４ｂを介するように環状溝部１４に接続され、指入れ用凹部１３により形成されたパネル部２の外周縁２ｂは、内周壁１４ｂを介さずに環状溝部１４の底部１４ａの内周縁に接続されている。
【００２６】
また、この具体例では、環状溝部１４の内周壁１４ｂは、パネル部２の外周縁２ａに向けて内周側（径方向内方）かつ上方に延在するテーパ面すなわち水平方向から傾斜する傾斜面により構成されている。例えば、その傾斜面である内周壁１４ｂは、缶蓋１の中心軸線方向に対して、傾斜角が２０°〜７０°の範囲内となるように傾斜されていることが好ましく、さらに好ましくは傾斜角３０°〜６０°の範囲内となる。
【００２７】
さらに、環状溝部１４の外周壁１４ｃの外周縁と接続されたカール部１５は、缶胴２１の開口端部とともに巻き締められて巻き締め部２０を構成している。このように、成形ロールされた巻き締め部２０によって缶蓋１と缶胴２１とが巻き締め固着された缶体２２では、スコア線５が一切破断されていない状態において缶体２２内が密封状態に維持されているが、スコア線５が破断されて缶蓋１に開口部が形成された場合には、缶体２２の内圧が大気圧となる。すなわち、収容時には暖められていた飲料が冷める場合などには、缶体２２の内圧が大気圧よりも低い状態（陰圧状態）で密封されていることになる。
【００２８】
図１には、缶体２２の内圧が陰圧状態となる場合の缶蓋１の縦断面形状を模式的に示してある。図１に示す缶体２２は陰圧缶であり、缶蓋１の中央が周辺よりも缶体内方に凹むように形成されているとともに、タブ４の下面４ａおよび上面４ｂが水平方向と平行に配置されている。つまり、図１に示す陰圧状態の缶体２２におけるリベット部３の位置は、図３に示す大気圧状態の缶体２２におけるリベット部３の位置よりも下方に変位している。したがって、缶蓋１は、缶体２２の内圧が大気圧状態から陰圧状態に移行することにより、缶蓋１の中央が周辺よりも下方に凹むように変形し、特にリベット部３の位置が下方に変位するように構成されている。
【００２９】
さらに、図１に示す缶蓋１では、図３に示す缶体１に比べて、指入れ用凹部１３が下方に凹むように変形し、より具体的には、指入れ用凹部１３における底面１３ａの内周側辺１３ｂ近傍が下方に変位するように変形している。すなわち、缶体２２が陰圧缶である場合、指入れ用凹部１３の底面１３ａは水平方向に対して傾斜するように配置され、かつ内周側辺１３ｂ近傍が環状溝部１４の底部１４ａよりも下方に配置されるように構成されている。したがって、缶体内圧が大気圧状態である場合に比べて陰圧状態の缶蓋１では、指掛け部８が下方に変位してタブ４の上下面４ａ，４ｂが水平方向と平行に配置されているものの、その指掛け部８と対向する指入れ用凹部１３の底面１３ａが外周側辺１３ｃから内周側辺１３ｂに向けて下方に傾斜するように構成されているため、缶体２２が陰圧缶となる場合であっても、上下方向で指掛け部８と指入れ用凹部１３との間に、比較的大きな間隔を確保させることができる。
【００３０】
例えば、缶体２２が密封状態、すなわちスコア線５が一切破断されていない状態において、開封者が缶体２２の指掛け部８に指を掛けて指掛け部８を上方に持ち上げた場合、梃子作用により押し下げ部７が開口片６の上面と当接しかつ開口片６を下方に押圧して、スコア線５のうちリベット部３の近傍部分に配置された端部５Ｓから破断させ始めるように構成されている。この場合、スコア線５の両端部５Ｓ，５Ｅが離隔して配置されているので、前述したようにタブ４により缶体内方へと開口片６が押圧されたことによりスコア線５の全てが破断され終えた場合、開口片６はその一部分がパネル部２と繋がった状態で缶体２２の内方へと変形させられている。
【００３１】
ここで、缶体２２の内圧が陰圧状態において、開封者によりタブ４の指掛け部８が上方に持ち上げられることにより缶蓋１に梃子作用が生じる場合について説明する。缶体２２が陰圧缶である場合、当然に缶体２２の内部は密封状態に維持されており、この状態でタブ４の指掛け部８が上方に持ち上げられる、すなわち指掛け部８がパネル部２から離れる方向へ変位すると、タブ４の押し下げ部７がパネル部２における開口片６の半月状凹部９に当接する。つまり、タブ４において、指掛け部８が力点、押し下げ部７が支点、リベット部３との固着部４ｃが作用点となり、図１に示す右側から力点，作用点，支点の順に並び、タブ４がいわゆる第二種梃子となる。しがたって、指掛け部８が上方に持ち上げられて第二種の梃子作用を生じることにより、タブ４の固着部４ｃおよびパネル部２のリベット部３が上方に変位する。すなわち、パネル部２におけるリベット部３の近傍部分が上方に変位するようにパネル部２の中央が缶体外方に反転し変形する。この第二種梃子作用による変形により、缶体２２が陰圧状態を維持したまま、缶蓋１のリベット部３の近傍部分が反転変形して音を発するように構成されている。
【００３２】
また、前述したように、タブ４の指掛け部８を上方に持ち上げた際にパネル部２の中央部を含む部分が反転して音を発するように構成するための好適な陰圧条件は、真空度が−４０kPa〜−５kPaの範囲である。例えば、真空度が−４０kPaよりも小さい場合には、缶体２２の陰圧が強すぎて前述したようなパネル２の反転変形が生じにくくなる虞がある。
【００３３】
さらに、この具体例の缶蓋１において、パネル部２に設けられた指入れ用凹部１３の形状により、環状溝部１４の内周壁１４ｂの一部分が指入れ用凹部１３により切り欠かれているため、パネル部２のうち指入れ用凹部１３が設けられた部分もしくはその近傍部分で強度が低下する。このため、前述した第二種梃子作用が生じた際のパネル部２の反転変形を引き起こし易くすることができる。例えば、第二種梃子作用が生じパネル部２におけるリベット部３の近傍部分が上方に変位する際、指入れ用凹部１３の接続面、特に傾斜面１３ｄが上方に引っ張られて内周側辺１３ｂ近傍が上方に変位するように変形してもよい。なお、このように指入れ用凹部１３が変形する場合であっても、環状溝部１４の内周壁１４ｂは変形しないように構成されている。
【００３４】
また、タブ４の指掛け部８が所定の位置まで持ち上げられて前述した第二種梃子作用を生じたことによるパネル部２の反転変形によって音が発せられた際、それ以上指掛け部８が持ち上げられずに下方へ戻る、すなわちパネル部２に近づく方向へ変位すると、その反転変形が解消される。すなわち、缶蓋１が前述した反転変形した状態から、図３に示すような缶体２２が陰圧缶である場合の定常状態へと戻るように変形する。つまり、前述した第二種梃子作用による缶蓋１の反転変形およびこの反転変形からの戻り変形は塑性変形ではなく、缶体２２が未開封の状態であり、かつ陰圧状態である場合には、前述したような発音を生じる缶蓋１の変形は何度でも可能となるように構成されている。したがって、そのような発音を生じる変形が缶蓋１で生じる場合には、缶体２２が未開封状態であることが言える。このため、缶体２２が未開封であることをその発音の有無を用いて証明することができる。なお、缶蓋１が前述した上方への反転変形から戻る際の変形においても、音を発するように構成されてもよい。
【００３５】
前述した発音を生じる反転変形が起きた後も、缶体２２が未開封の状態では第二種梃子作用を生じている。そして、この第二種梃子作用の状態で、さらにタブ４の指掛け部８が上方に持ち上げられると、タブ４の固着部４ｃおよびパネル部２のリベット部３を上方に引き上げる力が増大して、この開口片６を区画しているスコア線５のうち、径方向でリベット部３と半月状凹部９との間に配置されたリベット部３側の初期スコア線５ａが破断し始める初期破断が起こる。この初期破断が生じ、さらに指掛け部８が上方に持ち上げられると、タブ４において、押し下げ部７が作用点，固着部４ｃが支点，指掛け部８が力点となり、図１に示す右側から力点，支点，作用点の順に並び、タブ４がいわゆる第一種梃子となる。したがって、その状態から指掛け部８が上方へ持ち上げられ続けると、作用点となる押し下げ部７が下方へ変位し開口片６の半月状凹部９を下方へ押圧し続けるため、前述した初期破断時に破断した初期スコア線５ａから残りのスコア線５、例えば前述した環状溝部１４側の後期スコア線５ｂを含む残りのスコア線５を破断させる。これにより、スコア線５が全域に亘って破断されて缶蓋１のパネル部２に開口部が形成されるとともに、開口片６はその一部がパネル部２と繋がった状態で缶体２２の内方に塑性変形させられる。なお、前述した初期破断が生じた際、缶体２２の内部と外部とが開口部を介して連通され缶体２２が密封状態でなくなるため、缶体内圧は陰圧状態から大気圧状態へと移行する。
【００３６】
以上、説明したように、この具体例の缶蓋によれば、タブの指掛け部と対向する部分に缶体内方に凹む形状に形成された指入れ用凹部が設けられていることにより、その指掛け部と指入れ用凹部との上下方向の間隔を比較的大きく確保することができるので、開封者による開封操作時において、指掛け部への指掛かり易さを向上させることができる。
【００３７】
また、この具体例の缶蓋は、缶体が未開封状態かつその内圧が陰圧状態である場合に、缶蓋に固着されているタブの指掛け部を上方に持ち上げることにより、缶蓋が音を発するような変形を生じるように構成されている。このため、具体例の缶蓋によれば、缶体が未開封状態であるか否かの確認をタブ操作による発音の有無により確認することができるようになる。さらに、缶体が未開封状態であれば、何度も前述した発音の有無を確認できるように缶蓋が繰り返し変形可能に構成されている。
【符号の説明】
【００３８】
１…缶蓋、  ２…パネル部、  ２ａ，２ｂ…外周縁、  ３…リベット部、  ４…タブ、  ４ｃ…固着部、  ６…開口片、  ７…押し下げ部、  ８…指掛け部、  ９…半月状凹部、  ９ｃ…底部、  １０…凹ビード、  １１…補強ビード、  １２…突起、  １３…指入れ用凹部、  １３ａ…底面、  １３ｂ…内周側辺、  １３ｃ…外周側辺、  １３ｄ…接続面（傾斜面）、  １４…環状溝部、  １４ａ…底部、  １４ｂ…内周壁、  １５…カール部。
【図１】
2015085962.tif 000003
【図２】
2015085962.tif 000004
【図３】
2015085962.tif 000005
【図４】
2015085962.tif 000006